(57)【要約】本発明は、ソフトグリップを有する超音波歯科用スケーラー・インサート、及び当該超音波歯科用スケーラー・インサートを製造する方法を提供する。当該方法では、ソフトグリップ部材は、剛性壁に固定される弾性壁を有して提供される。次いで、このソフトグリップ部材が超音波歯科用スケーラー・インサートに接続されて、ソフトグリップを有する超音波歯科用スケーラー・インサートを形成する。
2007509714.tif 000002
【特許請求の範囲】
【請求項１】
ソフトグリップを有する超音波歯科用スケーラー・インサートを製造する方法であって、
ソフトグリップ及び超音波歯科用スケーラー・インサートを設けるステップと、
該ソフトグリップは剛性ポリマー内壁及び弾性外壁を有し、該超音波歯科用スケーラー・インサートは先端部、コネクタ、及び磁歪部材を有し、該コネクタは第１のコネクタ端部及び第２のコネクタ端部を有し、該第１のコネクタ端部は前記先端部に接続され、該第２のコネクタ端は前記磁歪部材に接続されていて、
前記ソフトグリップを前記超音波歯科用スケーラー・インサートに固定し、ソフトグリップを有する超音波歯科用スケーラー・インサートを形成するステップとを有する、ソフトグリップを有する超音波歯科用スケーラー・インサートを製造する方法。
【請求項２】
前記剛性ポリマー内壁は円筒形であり、前記ソフトグリップは前記コネクタにプレス嵌めされる、請求項１に記載のソフトグリップを有する超音波歯科用スケーラー・インサートを製造する方法。
【請求項３】
前記剛性ポリマー内壁は、第１の剛性ポリマー側面及び第２の剛性ポリマー側面から成り、前記弾性外壁は、第１の弾性側面及び第２の弾性側面から成り、該第１の弾性側面は前記第１の剛性ポリマー側面に固定され、該第２の弾性側面は前記第２の剛性ポリマー側面に固定され、前記剛性ポリマー内壁は、前記第１の剛性ポリマー側面を前記第２の剛性ポリマー側面に固定することによって形成される、請求項１に記載のソフトグリップを有する超音波歯科用スケーラー・インサートを製造する方法。
【請求項４】
前記剛性ポリマー内壁は前記コネクタを囲繞する、請求項３に記載のソフトグリップを有する超音波歯科用スケーラー・インサートを製造する方法。
【請求項５】
前記ソフトグリップ部材は円筒形である、請求項１に記載のソフトグリップを有する超音波歯科用スケーラー・インサートを製造する方法。
【請求項６】
前記剛性ポリマー内壁は前記弾性外壁に固定される、請求項１に記載のソフトグリップを有する超音波歯科用スケーラー・インサートを製造する方法。
【請求項７】
前記剛性ポリマー内壁は前記弾性外壁に接着される、請求項１に記載のソフトグリップを有する超音波歯科用スケーラー・インサートを製造する方法。
【請求項８】
前記剛性ポリマー内壁は前記弾性外壁に結合される、請求項１に記載のソフトグリップを有する超音波歯科用スケーラー・インサートを製造する方法。
【請求項９】
前記剛性ポリマー内壁は円筒形であり、前記弾性外壁は円筒形である、請求項１に記載のソフトグリップを有する超音波歯科用スケーラー・インサートを製造する方法。
【請求項１０】
前記ソフトグリップ部材は円筒形であり、かつ前記超音波歯科用スケーラー・インサートにプレス嵌めされる、請求項１に記載のソフトグリップを有する超音波歯科用スケーラー・インサートを製造する方法。
【請求項１１】
前記剛性ポリマー内壁は、前記超音波歯科用スケーラー・インサート用のノズルを形成する、請求項１に記載のソフトグリップを有する超音波歯科用スケーラー・インサートを製造する方法。
【請求項１２】
長手方向孔を有するハウジングを有する歯科用ハンドピースにおいて使用するインサートであって、
先端部と、
磁歪部材と、
接続部材と、
ノズルと、
グリップと
を備え、
前記先端部は前記接続部材の第１の端部に接続され、
前記磁歪部材は前記接続部材の第２の端部に接続され、
前記ノズルは前記接続部材によって支持され、
前記グリップは前記ノズルによって支持され、
前記グリップは剛性ポリマー材料及び弾性ポリマー材料から成る、歯科用ハンドピースにおいて使用するインサート。
【請求項１３】
ソフトグリップを有する超音波歯科用スケーラー・インサートを製造する方法であって、
ノズル及び磁歪部材を有する超音波歯科用インサートを設け、
弾性層を支持する剛性ポリマーのチャンネルを有するソフトグリップを設け、
前記ノズルの上に前記ソフトグリップ部材を配置し、ソフトグリップを有する超音波歯科用スケーラー・インサートを形成する、ことから成る超音波歯科用スケーラー・インサートを製造する方法。
【請求項１４】
前記剛性ポリマーのチャンネルは円筒形であり、前記弾性層は円筒形である、請求項１３に記載の超音波歯科用スケーラー・インサートを製造する方法。
【請求項１５】
前記ソフトグリップは円筒形であり、前記超音波歯科用スケーラー・インサートにプレス嵌めされる、請求項１３に記載の超音波歯科用スケーラー・インサートを製造する方法。
【請求項１６】
超音波歯科用スケーラー・インサートを製造する方法であって、
超音波歯科用スケーラー・インサートと、第１のソフトグリップ部材と、第２のソフトグリップ部材とを設けるステップと、
前記第１のソフトグリップ部材は、第１の剛性ポリマー内壁及び第１の弾性外壁を有し、前記第２のソフトグリップ部材は、第２の剛性ポリマー内壁及び第２の弾性外壁を有し、
前記超音波歯科用スケーラー・インサートは先端部、コネクタ、及び磁歪部材を有し、該コネクタは、細長い本体と、第１のコネクタ端部及び第２のコネクタ端部とを有し、該第１のコネクタ端部は前記先端部に接続され、該第２のコネクタ端部は前記磁歪部材に接続されていて、
前記第１のソフトグリップ部材を前記第２のソフトグリップ部材に接続し、ソフトグリップを形成し、前記第１の剛性ポリマー内壁及び前記第２の剛性ポリマー内壁が前記細長い本体を囲繞して、ソフトグリップを有する超音波歯科用スケーラー・インサートを形成するステップとを有する、超音波歯科用スケーラー・インサートを製造する方法。
【請求項１７】
ソフトグリップを有する超音波歯科用スケーラー・インサートを製造する方法であって、
剛性壁に固定される弾性壁を有するソフトグリップ部材を設けるステップと、
前記ソフトグリップ部材を超音波歯科用スケーラー・インサートに接続し、ソフトグリップを有する超音波歯科用スケーラー・インサートを形成するステップとを有する、ソフトグリップを有する超音波歯科用スケーラー・インサートを製造する方法。
【請求項１８】
前記超音波歯科用スケーラー・インサートは、先端部と、コネクタと、磁歪部材とを有し、該コネクタは該先端部に接続される第１のコネクタ端部と前記磁歪部材に接続される第２のコネクタ端部とを有する、請求項１７に記載の超音波歯科用スケーラー・インサートを製造する方法。
【請求項１９】
前記剛性壁は円筒形であり、前記ソフトグリップは前記コネクタにプレス嵌めされる、請求項１８に記載の超音波歯科用スケーラー・インサートを製造する方法。
【請求項２０】
前記超音波歯科用スケーラー・インサートはノズルをさらに備え、該ノズルは前記剛性壁を含む、請求項１８に記載の超音波歯科用スケーラー・インサートを製造する方法。
【発明の詳細な説明】
【技術分野】
【０００１】
本発明は、ソフトグリップを有する超音波歯科用スケーラー（歯石除去器）・インサート、及び当該超音波歯科用スケーラー・インサートを製造する方法を提供する。
【発明を実施するための最良の形態】
【０００２】
［発明の詳細な説明］
本発明を図１ないし図９を参照して説明する。図１及び図２を特に参照すると、ハンドピース１０が、一端にインサート１４を収容するようにされている細長いハウジング１２を備えていることが分かる。細長いハウジング１２の反対側の端部にはケーブル１５が取り付けられている。ケーブル１５は、空気、粉末、及び／又は水をハンドピース１０に送りこむホースを包囲している。ケーブル１５はまた、細長いハウジング１２内のコイルに接続されている電気ワイヤも包囲している。
【０００３】
図３ないし図６を特に参照すると、インサート１４にはコネクタ２６の対向する両端に磁歪スタック（積層部）２２及び先端部（チップ）２４が接続されていることが分かる。コネクタ２６はノズル２５を支持している。インサート１４は、剛性ポリマー内壁２８及び弾性外壁３０を有するソフトグリップ部材２７を有する。ソフトグリップ部材２７はコネクタ２６のノズル２５にプレス嵌めされる。本発明により使用する例示的な剛性ポリマー材料としては、ナイロン６、ナイロン６，６；ポリプロピレン、及び液晶ポリマーが挙げられる。
【０００４】
外壁３０の弾性材料は、ユーザがインサート１４を握るのに滑らないソフトグリップ面を与える。外壁３０の弾性材料は、インサート１４を握っているユーザの手に伝わる振動の量を減らすように振動吸収装置（すなわち防振装置）として機能する。ノズル２５は好ましくは剛性ポリマー材料から成る。磁歪積層部２２、先端部２４、及びコネクタ２６は好ましくは金属から成る。
【０００５】
好ましくは、弾性外壁３０は剛性ポリマー内壁２８の上に成形される。弾性材料は、例えば、弾性材料を形成する流体の射出成形によって剛性内壁２８に施される。好ましくは、この弾性材料が固化して外壁３０の弾性材料を形成する際に、この弾性材料と内壁２８の剛性材料との間に結合が形成される。好ましくは、この結合は滅菌環境において強度を保持する。滅菌環境は、例えば２２０ｋＰａ圧において１４分間１３５℃に加熱されることがある。好ましくは、使用される材料のすべてが高圧滅菌可能である。
【０００６】
別法として、外壁３０及び内壁２８は別個に成形される。次いで、外壁３０及び内壁２８は、これらの間に接着層を施すことによって一緒に接着される。
【０００７】
図７ないし図９を特に参照すると、インサート１１４は、コネクタ１２６の対向する両端に接続されている磁歪積層部１２２及び先端部１２４を有していることが分かる。コネクタ１２６はノズル１２５を支持している。インサート１１４は、剛性ポリマー半ノズル壁１２８及び１２９と弾性外壁１３０及び１３１とを有するソフトグリップ部材１２７を有する。ノズル１２５の２つの半体はコネクタ１２６を囲繞するように位置付けされる。こうして、ノズル１２５の２つの半体が一緒に接着される。
【０００８】
好ましくは、弾性外壁１３０は例えば射出成形によって剛性ポリマー半ノズル壁１２８の上に成形される。同様に、弾性外壁１３１も例えば射出成形によって剛性ポリマー半ノズル壁１２９の上に成形され得る。したがって、弾性外壁１３０は、弾性材料を形成する流体の射出成形によって半ノズル壁１２８の剛性材料の上に成形され得る。同様に、弾性外壁１３１も、弾性材料を形成する流体の射出成形によって半ノズル壁１２９の剛性ポリマー材料の上に成形され得る。好ましくは、流体は、外壁１３０の弾性材料を形成するため、半ノズル壁１２８の剛性ポリマー材料への結合を形成する。同様に、流体は、外壁１３１の弾性材料を形成するため、半ノズル壁１２９の剛性ポリマー材料への結合を形成する。
【０００９】
別法として、弾性外壁１３０及び半ノズル壁１２８は、接着剤をこれらの間に施すことによって一緒に接着させてもよい。同様に、弾性外壁１３１及び半ノズル壁１２９も、接着剤をそれらの間に施すことによって一緒に接着させてもよい。好ましくは、これらの結合は、滅菌環境において強度を効果的に維持する。外壁１３０及び１３１の弾性材料はユーザがインサート１１４を握るのに滑りのないソフトグリップ面を与える。ここでも同様に、外壁１３０及び１３１の弾性材料は、インサート１１４を握っているユーザに対して防振装置として機能する。
【００１０】
ノズル１２５は、好ましくは半ノズル壁１２８を半ノズル壁１２９に接着することによって製造される。外壁１３０及び１３１の弾性材料の隣接する両側は好ましくは一緒に接着される。磁歪積層部１２２、先端部１２４、及びコネクタ１２６は好ましくは金属から成る。使用の際、ノズル１２５及び弾性外壁１３０を有するインサート１１４は、細長いハウジング１２等の細長いハウジングに挿入されて、歯を超音波清掃する歯科用ハンドピースを形成する。
【００１１】
したがって、本発明によれば、ソフトグリップを有する超音波歯科用スケーラー・インサートを製造する方法が提供される。この超音波歯科用スケーラー・インサートは、弾性壁が剛性壁に固定されているソフトグリップ部材を設け、当該ソフトグリップ部材を超音波歯科用スケーラー・インサートに接続することにより、ソフトグリップを有する超音波歯科用スケーラー・インサートを形成することによって、製造される。超音波歯科用スケーラー・インサートは先端部、コネクタ、及び磁歪部材を有する。コネクタは先端部に接続されている第１のコネクタ端部、及び磁歪部材に接続されている第２のコネクタ端部を有する。本発明の一実施形態では、剛性壁はほぼ円筒形であり、ソフトグリップはコネクタにプレス嵌めされる。本発明の別の実施形態では、ノズルは剛性壁で形成される。
【００１２】
本発明のいくつかの本実施形態及び当該実施形態を実施する方法を図示し説明してきたが、本発明は添付の特許請求の範囲内で他に種々に具現及び実施されることができることが当業者には理解されるであろう。
【図面の簡単な説明】
【００１３】
【図１】ケーブルを有するハンドピースにおける、本発明によるソフトグリップ部材を有する超音波歯科用インサートの斜視図である。
【図２】ケーブルが無い状態の、図１のハンドピースにおける超音波歯科用インサートの側部断面図である。
【図３】図１のソフトグリップ部材を有する超音波歯科用インサートの斜視図である。
【図４】図３のソフトグリップ部材を有する超音波歯科用インサートの底部断面図である。
【図５】本発明によるソフトグリップ部材の斜視図である。
【図６】図５のソフトグリップ部材の側部断面図である。
【図７】グリップ層を有するノズルの半体の側部斜視図である。
【図８】図７のグリップ層を有する、超音波歯科用インサートに隣接して位置付けられているノズルの半体の側部斜視図である。
【図９】本発明による超音波歯科用インサートに固定されている、グリップ層を有するノズルの側部斜視図である。
【図１】
2007509714.tif 000003
【図２】
2007509714.tif 000004
【図３】
2007509714.tif 000005
【図４】
2007509714.tif 000006
【図５】
2007509714.tif 000007
【図６】
2007509714.tif 000008
【図７】
2007509714.tif 000009
【図８】
2007509714.tif 000010
【図９】
2007509714.tif 000011
【国際調査報告】
2007509714.tif 000012
2007509714.tif 000013